(57)【特許請求の範囲】
【請求項１】
円柱状の回動棒がその中心軸線周りに回動できるよう案内する回動棒孔を有するケーシング本体と、
前記回動棒孔に回動自在に挿入され、軸線に同心の直円筒孔となる可動通路を備え軸方向に並列した複数本の回動棒と
該回動棒の一端又は両端に結合された回動駆動軸と、
前記回動棒と同軸に挿入された濾過手段と、
前記ケーシング本体に設けられ、前記可動通路に入口連通路および出口連通路を介して連通するように、前記回動棒孔の軸方向で離置された入口主通路および出口主通路とを含む流体用スクリーンチェンジャー。
【請求項２】
前記濾過手段は有底濾過筒からなり、補強多孔筒と、その外周または内周または中間に張られたスクリーンとを含む請求項１に記載の流体用スクリーンチェンジャー。
【請求項３】
前記濾過手段は多孔板とスクリーンを含む請求項１に記載の流体用スクリーンチェンジャー。
【請求項４】
前記濾過手段は多数の濾過孔を持つ筒体からなる請求項１に記載の流体用スクリーンチェンジャー。
【請求項５】
ケーシング入口とそれに対応する可動通路入口の面積に対して、ケーシング出口とそれに対応する可動通路出口の面積は同一または異なる請求項１乃至請求項４のいずれか１項に記載の流体用スクリーンチェンジャー。
【発明の詳細な説明】
【技術分野】
【０００１】
本発明は流体用スクリーンチェンジャーに関するものである。
【背景技術】
【０００２】
従来の技術として下記の特許文献１に示すものがあった。即ち、  円柱状の回動棒がその中心軸線周りに回動できるよう案内する回動棒孔を有するケーシング本体と、前記回動棒孔に回動自在に挿入され、可動通路を外円周面に持ち、軸方向に並列した２本の回動棒と、該回動棒の一端又は両端に結合された回動駆動軸とを持つ。そして、前記回動棒に設けられた可動通路は、該棒のほぼ直径を通る直線上に貫通し、その中に同軸に濾過手段が挿入されている。
【先行技術文献】
【特許文献】
【０００３】
【特許文献１】特許第３８０６７６７号公報
【発明の概要】
【発明が解決しようとする課題】
【０００４】
しかしながらこの技術では、前記回動棒に設けられた可動通路は、該棒のほぼ直径を通る直線上に貫通し、その中に同軸に濾過手段が挿入されている。  従って、通路の直径と軸方向長さは棒の直径に規制される。つまり、通路容積は原理的に棒の直径の制限を受ける。従って、この中に収容する濾過手段の大きさ、即ち、濾過面積が棒の直径で厳しく制限を受けてしまう。このため、必要な濾過面積を得るためには、棒の直径を大とせねばならず、勢いケーシングを含む装置全体の大きさ、重量の増大を甘受せざるを得なかった。
【０００５】
本発明は上記問題を解決し、濾過面積の減少を招くことなく、小型化，軽量化を可能とした流体用スクリーンチェンジャーを提供することを目的とする。
【課題を解決するための手段】
【０００６】
本発明の課題解決手段の第１は、円柱状の回動棒がその中心軸線周りに回動できるよう案内する回動棒孔を有するケーシング本体と、前記回動棒孔に回動自在に挿入され、軸線に同心の直円筒孔となる可動通路を備え軸方向に並列した複数本の回動棒と、該回動棒の一端又は両端に結合された回動駆動軸と、前記回動棒と同軸に挿入された濾過手段と、前記ケーシング本体に設けられ、前記可動通路に入口連通路および出口連通路を介して連通するように、前記回動棒孔の軸方向で離置された入口主通路および出口主通路とを含むことである
【０００８】
本発明の課題解決手段の第２は第１手段に加え、前記濾過手段は有底濾過筒からなり、補強多孔筒と、その外周または内周または中間に張られたスクリーンとを含むことである。
【０００９】
本発明の課題解決手段の第３は第１手段に加え、前記濾過手段は多孔板とスクリーンを含むことである。
【００１０】
本発明の課題解決手段の第４は第１手段に加え、前記濾過手段は多数の濾過孔を持つ筒体からなることである。
【００１１】
本発明の課題解決手段の第５は前記いずれか１の手段に加え、ケーシング入口とそれに対応する可動通路入口の面積に対して、ケーシング出口とそれに対応する可動通路出口の面積は同一または異なることである。
【発明の効果】
【００１２】
本発明により、濾過手段が回動棒と同軸に挿入されるので、従来のように濾過面積が棒の直径で厳しく制限を受けることがなくなるため、流体用スクリーンチェンジャーが濾過面積の減少を招くことなく、小型化と軽量化が可能となった。
【図面の簡単な説明】
【００１３】
【図１】本発明の一実施例の斜視図である。
【図２】図１のＹ２−Ｙ２断面図である。
【図３】図２のＸ３−Ｘ３断面図である。
【図４】図２の部分拡大図である。
【図５】本発明の第２実施例の図３に対応した断面図である。
【図６】本発明の第３実施例の図３に対応した断面図である。
【図７】本発明の第４実施例の図３に対応した断面図である。
【図８ａ】本発明の第５実施例の正面図である。
【図８ｂ】図８aのＹ８b−Ｙ８ｂ断面図である。
【図８ｃ】図８aのＹ８ｃ−Ｙ８ｃ断面図である。
【図９】図８ｂのＹ９−Ｙ９断面図である。
【図１０】本発明の第６実施例の側面図である。
【図１１】本発明の効果を説明するグラフである。
【図１２】本発明の効果を説明するグラフである。
【発明を実施するための形態】
【００１４】
以下に本発明の一実施例を図面に基づき説明する。
図１，２，３において、ケーシング本体１０は外形が正面視で横長矩形、側面視で矩形、平面視で横長矩形をなした鋼のブロック状のものである。そして、後記の円柱状の回動棒２がその中心軸線周りに回動できるよう案内するように、円筒形の回動棒孔１５が左右方向に延びる軸線上に、上下に２本が並列する。
【００１５】
ケーシング本体１０には、その一方外面（前面）からに回動棒孔１５を連通して他方外面（前面）に開口するように、入口主通路１１と出口主通路１２が設けられる。そして、これらが各々次記２個の可動通路２ａと通じるよう入口連通路１３と出口連通路１４が設けられる。
【００１６】
前記回動棒孔１５には、軸方向に対して並列した２本の回動棒２，２が回動自在に挿入される。各々の回動棒は可動通路２ａを外円周面に持つ。可動通路は軸線に同心の直円筒孔となり、一方が大径部２ｂで開口し、他方がテーパ段部を介して縮径部２ｃとなり、この底から軸線に沿い、かつ、半径方向に曲がる出口２ｅが設けられる。大径部の近くに半径方向に貫通する入口２ｄが設けられる。これらの入口２ｄと出口２ｅは各々、入口連通路１３と出口連通路１４に通じる。
【００１７】
このようにして、前記ケーシング本体に設けられた入口主通路１１および出口主通路１２は、入口連通路１３および出口連通路１４を介して前記可動通路２に連通するように、前記回動棒孔１５の軸方向で隔置されたものとなる。また、前記回動棒２の可動通路２aは前記入口主通路１１および出口主通路１２に連通するように、入口２ｄと出口２ｅはそれぞれ軸方向に隔置されて該棒のほぼ軸線上断面で方向転換するものとなる。
【００１８】
前記回動棒２の可動通路２ｂ内には、同軸に濾過手段２０が挿入される。濾過手段は有底濾過筒からなり、次のように構成される。補強多孔筒２１は直円筒を呈して回動棒２と同心となり、その外周に（または内周、中間）に円筒スクリーン２２が装着される。補強多孔筒の一端にネジで取り付けられた底部材２３は、外側中央が外側に凸となっている。補強多孔筒２１の他端は、ネジで縮径部２ｂに取り付けられる。これにより、円筒スクリーン２２と可動通路の大径部２ｂの内面との間には間隔が保たれ、この間隔と補強多孔筒２１の内側には、濾過室が構成される。
【００１９】
回動棒２の一端に回動駆動軸３が結合される。回動棒の他端で可動通路の開口端には、蓋４のフランジ部がケーシング本体にボルトで固定される。蓋の中心部は可動通路内に突入し、後記逆洗時に使われる排出孔４ａが設けられる。
【００２０】
以上において、作動状態を説明する。
通常運転時には、ケーシング１０の入口主通路１１より入った流体は２つの入口連通路１３に分かれて、可動通路の入口２ｄより濾過室に入り、スクリーン２２を通り、濾過筒２の円周に開けられた孔より濾過筒内を通り、可動通路の出口２ｅを経てケーシング出口主通路１２を通り次の機器に入る。この間にスクリーン２２で流体の不純物が濾過される。
【００２１】
スクリーン２２の交換時には、  片側（上側）のスクリーンが目詰まりをすると、上側回棒が図２の矢印の方向に約４５度回転すると、ケーシング入口連通路１３と可動通路２ａとが不通となる。また、出口連通路１４と可動通路出口２ｅとが不通となる。従って、濾過室の流体の出入口が止まるため、スクリーン濾過筒２０が蓋４を取り外して機外に取り出されて、新しいスクリーン濾過筒と交換できる。
【００２２】
図４は他の実施例を示し、スクリーン２２の逆洗浄が可能としたものである。
前記ではケーシング入口１１とそれに対応する可動通路入口２ｄの面積に対して、ケーシング出口１２とそれに対応する可動通路出口２ｅの面積は同一であるが、これを同一でなく異なるようにするのである。即ち、図４は、図２の中心部に対応したものの拡大図である。スクリーンの逆洗浄を行うには、入口連通路１３を出口連通路１４より小さくすればよい。即ち入口連通路１３の直径Φｄ、出口連通路１４の直径をΦＤとすれば、ΦＤ＞Φｄとする。
【００２３】
即ち、ΦＤ＞Φｄの場合、図４において、ＸがＸ´になり、通路は閉となるが、ＹはＹ´になっても通路は閉とならず、隙間δがある。ここから出口側の流体が出口連通路１４より可動通路２ａを通り、濾過筒内室を通り孔の内側より出口側圧力により押し出される。これにより、片側スクリーンの内側より表面に付着した不純物を流体と共に洗い出し、蓋４の排出孔４ａより機外に排出する。排出が終われば回動棒２を逆に回して元の状態に戻る。
【００２４】
図５は第３実施例を示し、回動棒２の両端に回転駆動軸を設けたものである。回動棒２は大径部に相当した部分２ｂ１と、段を介した小径部分２ｃ１がその外側で段２ｃ２を介して軸方向に分割され、蓋４はフランジ部４１と中心部４２とが分離されている。そして、中心部が回動棒の大径部２ｂ１にネジで結合され、中心部に設けられた第２駆動軸3aが蓋を回転自在に貫通し、その先に第２回転ハンドル５ａが取り付けられる。段を介した小径部２ｃ１の内側に濾過筒２０（２１）がネジで取り付けられる。その他の部分は図３と同様である。
【００２５】
このように、回動棒２は大径部に相当した部分と、段を介した小径部分が軸方向に分割されたことのより、各部分の回転力が小さくなり、それだけ操作が楽である。また、入口、出口の通路の開度調節を独立して行なうことにより、流量、圧力等のコントロールが容易となる。
【００２６】
図６は、前記有底濾過筒２０として多数の濾過孔を持つ筒体からなるものである。筒体は円盤ホルダ６の貫通孔に嵌まり固定される。ホルダ６が回動棒２の可動通路２ａの出口側にネジで取り付けられる。
【００２７】
図７は、前記濾過手段として多孔板とスクリーンとしたものである。可動通路は軸線に同心の直円筒孔となり、一方が大径部２ｂで開口し、他方が円周溝を介してテーパ縮径部となり、この底から軸線に沿い、かつ、半径方向に曲がる出口２ｅが設けられる。前記回動棒軸２の可動通路２ｂ内には、同軸に濾過手段が挿入される。濾過手段は多孔板とスクリーンからなり、次のように構成される。円筒ガイド４ｃの一端に円形多孔板４ａとスクリーン４ｂが固定され、ガイド４ｃの他端しはネジで円周溝内に取り付けられる。
【００２８】
図８，９は、入口連通路１３および出口連通路１４を各々、回動棒孔間をつなぐ直径上に延びる直線状とし、入口主通路１１と入口連通路１３および出口主通路１２と出口連通路１４との各々の交差点に、各々入口三方切り替え弁３０および出口三方切り替え弁４０を設けたものである。入口連通路１３および出口連通路１４を各々、回動棒孔間をつなぐ直径上に延びる直線状としたことにより、ケーシングの縦長さ（奥行き）が短縮される。弁棒は細くでき、小さな力で操作できる。
【００２９】
前記切換弁３０，４０において、円柱弁棒３０ａ，４０ａの先端付近にＴ字型の流路３０ｂ，４０ｂを持ち、弁棒の末端から操作棒３０，４０ｃがケーシングの外側に延び、その先端にハンドル３０ｄ，４０ｄが設けられる。弁棒の末端付近にはパッキン３０ｅ，４０ｅが設けられてケーシングの穴との液密が保たれる。
【００３０】
以上において、作動状態を説明する。通常運転時には、ケーシング１０の主入口１１より入った流体は２つの連通路１３に分かれ、濾過室に入り、スクリーン付き濾過筒２０の穴より入り、濾過筒出口を経てケーシング出口１２より排出される。不純物を含んだ流体はスクリーン２２で濾過される。
【００３１】
スクリーン逆洗時には、図８の下のスクリーンが目詰りした場合は、入口切り替え弁３０を左９０度(図８ｂ)回すと、下側の濾過室の流体の流れは止まる。このとき、ケーシング出口側の圧力によりの流体は、連通路１４(図８ｃ)より逆に下の多孔筒２１の内側に入り、スクリーン２２の裏面より流入してスクリーンに付いた不純物を流体と共にはがして、排出孔４ａより排出される。このとき流体は全て上側の濾過室を通り出口１２より流出するので、運転に支障はない。今度は、入口切り替え弁３０を右９０度(図８ｂ)回すと、上側の濾過室の流体の流れは止まり、同様にして上側の濾過筒が逆洗される。
【００３２】
スクリーン交換時には、下のスクリーンを交換する場合、入口切り替え弁３０を左９０度（図８ｂ）、出口弁４０を右９０度(図８ｃ)回すと、下の濾過室の流体が遮断され、蓋４を外して濾過筒２０を取り出し、新品と交換する。上のスクリーンを交換する場合、前記切り替え弁を逆９０度に回す。出口切り替え弁４０がない場合は、成形ライン全体を停止して行う。
【００３３】
図１０は、回動棒の３本が並列したものである。
図１１，１２は、本発明による効果を説明するグラフである。図１１は本発明のもの（図３の有底濾過筒２０）と、従来技術（背景技術に記載）のもの（本発明と同様の有底濾過筒）の、回動棒の径の違いを示し、横軸がスクリーン面積、縦軸が直径である。図１２は前記回動棒の径の違いによる機械重量の差を示し、横軸がスクリーン面積、縦軸が重量である。これらから、構造の違いにより回動棒の径が小さくなり、機械全体がコンパクトで、軽量となり、コストも少なくなることが分かる。
【００３４】
本発明は前記した実施例や実施態様に限定されず、特許請求の範囲を逸脱せずに種々の変形を含む。
【産業上の利用可能性】
【００３５】
本発明は流体用スクリーンチェンジャーに利用される。
【符号の説明】
【００３６】
１０  ケーシング本体
１１  入口主通路
１２  出口主通路
１３  入口連通路
１４  出口連通路
１５  回動棒孔
２０  濾過手段
２１  補強多孔筒
２２  スクリーン
２３  底部材
２  回動棒
２ａ  可動通路
２ｂ  大径部
２ｃ  縮径部
２ｄ  入口
２ｅ  出口
３  回動駆動軸
４  蓋
４ａ  排出孔
５  ハンドル
５ａ  第２ハンドル
６  ホルダ
【図１】
0005618327.tif 000002
【図２】
0005618327.tif 000003
【図３】
0005618327.tif 000004
【図４】
0005618327.tif 000005
【図５】
0005618327.tif 000006
【図６】
0005618327.tif 000007
【図７】
0005618327.tif 000008
【図８ａ】
0005618327.tif 000009
【図８ｂ】
0005618327.tif 000010
【図８ｃ】
0005618327.tif 000011
【図９】
0005618327.tif 000012
【図１０】
0005618327.tif 000013
【図１１】
0005618327.tif 000014
【図１２】
0005618327.tif 000015